(57)【要約】【課題】従来の画像形成装置は感光ドラムを中心とし、転写部材が接する部分以外は帯電ローラ〈又はコロナ帯電器〉、ＬＥＤ露光装置〈レーザーＲＯＳでもよい〉取り付け部、現像装置、クリーニング装置から成り、消耗品である感光ドラムを交換する為にはほとんどメーカーが行う通称リサイクル方式であり、極めて高価である。【解決手段】感光ドラムを容易に交換出来る様に画像形成装置を二分割する。これによりユーザーが簡単に行うこともできる。【選択図】図４
2008170909.tif 000002
【特許請求の範囲】
【請求項１】
単体感光ドラム上に、光導電層を特定極性に均一に帯電するために帯電ローラ〈コロナ帯電器でも良い〉、帯電された光導電性層にデジタル露光を行いデジタル情報に従った静電像を形成するためのＬＥＤ露光装置〈レーザーＲＯＳでもよい〉取り付け部及び静電層に熱溶融性の色トナー粉末を付着させて単色画像を形成するための現像装置と転写材又はドラム状の中間転写体に色画像を転写した後次のトナー像形成のために光導電性層上に残留するトナー像を除去するためのクリーニング装置を配置した単色トナー像形成ユニットに於いて容易に感光ドラムを交換出来るよう二分割にしたことを特徴とする画像形成装置。
【請求項２】
前記画像形成装置に於いて、感光ドラム軸以外に支点軸をもうけ、此の支点軸を中心に回転することにより、感光ドラム軸を固定、及び開放が容易である事が特徴とする画像形成装置。
【請求項３】
前記画像形成装置に於いて、現像装置側に支点軸をもうけ、此の支点軸を中心に回転することにより、感光ドラム軸を固定、及び開放が容易である事が特徴とする画像形成装置。
【請求項４】
前記画像形成装置に於いて、帯電、露光、及びクリーニング側に支点軸をもうけ、此の支点軸を中心に回転することにより、感光ドラム軸を固定、及び開放が容易である事が特徴とする画像形成装置。
【請求項５】
前記画像形成装置に於いて、感光ドラム軸を直接固定する為の固定部材を有し、これを開放する事により、画像形成装置単体を容易に取り出せる機能を有する事が特徴とする画像形成装置。
【請求項６】
前記画像形成装置を確実にプリンター等の装置に取り付けるためプリンター等の装置に前記画像装置の感光ドラム軸及び支点軸の嵌合部を有する事が特徴とする画像形成装置。
【発明の詳細な説明】
【技術分野】
【０００１】  本発明は電子写真方式に適用した複写機、プリンター、ファクシミリ等の画像形成装置に関する。
【背景技術】
【０００２】  従来、電子写真方式に適用した、特に小型複写機、プリンター、ファクシミリ等に使用された画像形成装置は、感光ドラムを中心に機能上、転写部材が接する部分以外は帯電ローラ〈又はコロナ帯電器〉、ＬＥＤ露光装置〈又はレーザーＲＯＳ〉取り付け部及びクリーニング装置から成り極めて小型化されている。【０００３】  市場に於いては、画像形成装置は消耗品として販売され、その消耗品はリサイクルされ各メーカーはこれらを分解し再利用される。【０００４】  以下、図１，により従来の画像形成装置について説明する。図１において、１，は感光ドラム軸で感光ドラム２を両側板４により支えられている。感光ドラムを取り出すには片側の側板を外し取り出す。【０００５】
【特許文献１】特開平７−７２７７７号公報
【特許文献２】特開平９−４３９１２号公報
【特許文献３】特開平１１−１７４７４４号公報
【特許文献４】特開平１１−１７４８７９号公報
【特許文献５】特開平１１−３２７２１８号公報
【特許文献６】特開平１１−３２７２１９号公報
【特許文献７】特開平１１−３２７２２０号公報
【特許文献８】特開２００２−３５７９４２号公報
【特許文献９】特願２００４−３０３５４９号公報
【特許文献１０】特願２００５−２６９０８５号公報
【発明の開示】
【発明が開示しようとする課題】
【０００６】  以上述べた従来の画像形成装置には、それぞれ以下のような問題点がある。
【０００７】  感光ドラムを中心とし小型化された画像形成装置は転写部材が接する部分以外は帯電ローラ〈又はコロナ帯電器〉、ＬＥＤ露光装置〈レーザーＲＯＳでもよい〉取り付け部、現像装置、クリーニング装置から成り、この内、特にライフの少ないのが感光ドラムであり、これをこの画像形成装置から取り出し交換するには容易には出来ない。
【０００８】  また、感光ドラム以外の帯電ローラ〈又はコロナ帯電器〉、現像装置、クリーニング装置ほとんど消耗していないにも拘わらず、交換あるいは確認して再利用する。
【０００９】  本発明はこのような従来の構成が有した問題を解決しようとするものであり、画像形成装置から容易に感光ドラムを交換することを目的とするものである。
【課題を解決するための手段】
【００１０】  そして、本発明は上記目的を達成するために画像形成装置を二分割にした。
【００１１】  また、二分割の手段として、感光ドラム軸以外に支点軸をもうけ、此の支点軸を中心に回転することにより、感光ドラムを容易に交換出来、もとにもどすことにより、感光ドラムを所定位置にすることを可能にした。
【００１２】  感光ドラム軸以外に、現像装置側に支点軸をもうけ、此の支点軸を中心に回転することにより、感光ドラムを容易に交換出来、もとにもどすことにより、感光ドラムを所定位置にすることを可能にした。
【００１３】  感光ドラム軸以外に、帯電、露光及びクリーニング側に支点軸をもうけ、此の支点軸を中心に回転することにより、感光ドラムを容易に交換出来、もとにもどすことにより、感光ドラムを所定位置にすることを可能にした。
【００１４】  この様な画像形成装置を確実にプリンター等の装置に取り付けるためプリンター等の装置に、この画像形成装置の感光ドラム軸を直接固定する為の固定部材を有し、これを開放する事により、画像形成装置単体を容易に取り出せる機能を有することが特徴とする。
【００１５】  この様な画像形成装置を確実にプリンター等の装置に取り付けるためプリンター等の装置に、この画像形成装置の感光ドラム軸及び支点軸の嵌合部を有する事が特徴とする。
【発明の効果】
【００１６】  上述したように本発明の画像形成装置は小型機から大判機まで幅広く可能であり、機械の消耗品等の価格に大いに関係し又メンテナンス費用が安価になる。
【発明を実施するための最良の形態】
【００１７】以下、本発明の実施の形態を図１〜図８に基づいて説明する。【００１８】  図１は従来の画像形成装置について説明する。両サイドの側板４で感光ドラム２はドラム軸２を介し支えられている。帯電ローラ８，ＬＥＤ露光装置６の取り付け部両側板４の一部、現像装置７，クリーニング装置９も同様である。【００１９】  図２は両サイド側板を、側板４，側板５に分け本発明の目的である感光ドラムを画像形成装置から容易に取り出す事を可能にした。側板４，側板５はスライド方式で、図２の下部がスライド部分であり、Ｃ部を押す事により左右に開き、ドラム軸１が開放されることにより上部方向に取り出せる。【００２０】  図３は画像形成装置の側板４，側板５が左右に開放された状態を示す。【００２１】  図４は両サイド側板を、側板４，側板５に分け本発明の目的である感光ドラムを画像形成装置から容易に取り出す事を可能にした。現像装置７の側板４に支点軸３を設けネジＤをゆるめる事により、図に於いて反時計方向に開放され、側板４の一部であるカム状の部分により固定されていたドラム軸１が開放されることにより上部方向に取り出せる。
尚ネジＤを使用せずに支点軸３と側板５の一部にスプリングを取り付け、スプリングのデットポイントを利用する等で開閉する事もできる。〈不図〉【００２２】  図５は画像形成装置の側板４，側板５が支点軸３を中心により、図に於いて反時計方向に開放された状態を示す。【００２３】  図６は両サイド側板を、側板４，側板５に分け本発明の目的である感光ドラムを画像形成装置から容易に取り出すことを可能にした。クリーニング装置９の側板５に支点３ａを設けネジＥをゆるめる事により、図に於いて時計方向に開放され、側板５の一部にＵ溝で固定されていたドラム軸１が開放されることにより上部方向に取り出せる。【００２４】  図７は画像形成装置の側板４，側板５が支点軸３ａを中心により、図において時計方向に開放された状態を示す。【００２５】  図８は一例として２色タンデム方式のプリンターを例にし説明する。【００２６】  図８に於いて、Ａは画像形成装置〈赤色〉、Ｂは画像形成装置〈黒色〉を示す、プリンターのテーパーの溝部Ｆ、溝部Ｊに画像形成装置のドラム軸１，支点軸３が上部より挿入される事により固定金具１６、スプリング２０により固定される。支点軸３は感光ドラムが図に於いて反時計方向に駆動が伝達されるため画像形成装置全体が安定する。
【産業上の利用可能性】
【００２７】  上述したように本発明の画像形成装置は、画像形成装置の心臓部である感光ドラムを容易に交換が出来るため、フルカラー等のプリンターにも利用され、単体の画像形成装置が安価となるため、当然一枚当たりのコビー単価が安くなる事になる。又本発明は小型機から大判機まで、単色機からフルカラー機まで幅広く利用出来る。
【図面の簡単な説明】
【００２８】
【図１】  図１は従来の画像形成装置を示。
【図２】  本発明の実施形態を示す画像形成装置其の１
【図３】  同画像形成装置その２
【図４】  同画像形成装置その３
【図５】  同画像形成装置その４
【図６】  同画像形成装置その５
【図７】  同画像形成装置その６
【図８】  一例として二色タンデム方式のプリンターを例に画像形成装置の安定した取り付けかた。
【符号の説明】
【００２９】１        ドラム軸                              １９      固定金具
２        感光ドラム                            ２０      スプリング
３        支点軸                                ２１      駆動モータ
４        側板Ａ                                ２２      定着ローラＡ
５        側板Ｂ                                ２３      定着ローラＢ
６        ＬＥＤ露光装置                        ２４      排紙ローラＡ
７        現像装置                              ２５      排紙ローラＢ
７−１    現像ローラ
７−２    現像ローラブレード
７−３    トナー供給ローラ
７−４    トナー攪拌ローラ
７−５    トナーカートリッチ
８        帯電ローラ
９        クリーニング装置
９−１    クリーナーブレード
９−２    ウエストトナー送り軸
９−３    トナー防止ブレード
１０      イレーサーランプ
Ａ        画像形成装置〈赤色〉
Ｂ        画像形成装置〈黒色〉
Ｃ        ストツパー
Ｄ        固定ネジ
Ｅ        固定ネジ
Ｆ        Ｕ溝
Ｇ        Ｕ溝
１１      転写紙
１２      転写紙送りローラＡ
１３      転写紙送りローラＢ
１４      転写紙送りローラＣ
１５      転写紙押さえローラ
１６      搬送ベルトローラＡ
１７      搬送ベルトローラＢ
１８      圧力ローラ
【図１】
2008170909.tif 000003
【図２】
2008170909.tif 000004
【図３】
2008170909.tif 000005
【図４】
2008170909.tif 000006
【図５】
2008170909.tif 000007
【図６】
2008170909.tif 000008
【図７】
2008170909.tif 000009
【図８】
2008170909.tif 000010